(57)【特許請求の範囲】
【請求項１】
バックライトと液晶表示部と使用者からの外部情報を入力する情報入力部とを含む情報処理装置であって、
前記液晶表示部は、前記バックライトからの透過光により表示を行う透過モードと、外光の反射光により表示を行う反射モードとにより表示を行い、
前記情報入力部への入力が一定時間中断した場合または長時間中断した場合で、かつ、前記液晶表示部の表示が一定の時間継続した場合、前記液晶表示部の表示内容の全部または一部を書き替えることにより永久メモリー現象を防止することを特徴とする情報処理装置。
【請求項２】
バックライトと液晶表示部と使用者からの外部情報を入力する情報入力部とを含む情報処理装置であって、
前記液晶表示部は、前記バックライトからの透過光により表示を行う透過モードと、外光の反射光により表示を行う反射モードとにより表示を行い、
前記情報入力部への入力が一定時間中断した場合または長時間中断した場合で、かつ、前記液晶表示部の表示が一定の時間継続した場合、前記液晶表示部の表示内容の全部または一部を書き替えることを特徴とする情報処理装置。
【請求項３】
前記液晶表示部によって透過モードで表示が行われている場合、一定時間、前記情報入力部の入力があるか否かを判断し、
前記情報入力部に対して一定時間、前記情報入力部の入力がない場合、前記バックライトの電源をオフにして、前記液晶表示部によって反射モードで表示を行い、
前記液晶表示部によって反射モードで表示を行っている場合、前記液晶表示部によって一定の時間、液晶表示部の表示が継続したか否か判断する請求項１または２記載の情報処理装置。
【請求項４】
前記液晶表示部は、前記バックライトに対して表示側に反射層と液晶層とが設けられ、
前記反射層は、表示側から前記液晶層を通して入射した入射光を反射して、前記液晶層を通して表示側に出るように構成されるとともに、
前記反射層は、開口部を複数個有し、前記バックライトからの光が前記開口部を透過して、透過された透過光が前記液晶層を通して表示側から出るように構成されている請求項１〜３のいずれかに記載の情報処理装置。
【発明の詳細な説明】
【０００１】
【発明の属する技術分野】
本発明は液晶表示素子に関するものである。
【０００２】
【従来の技術】
近年パーソナルコンピュータの小型軽量化に伴い、電池で駆動する携帯型パーソナルコンピュータが登場し急速に普及しつつある。これらはノートパソコンと呼ばれ、小型軽量でありながら据置き型パソコンやラップトップ型パソコンと同等の機能をもつ。電池で使用できるため、会議室や講義室等の電源確保が難しい所に持ち込んで使用するという新しい利用形態が生まれている。
【０００３】
しかしながら、このような利用形態においては、電池使用可能時間が短いという点が問題になりつつある。会議室における会議の記録や大学における講義の記録に用いる場合、一回の使用で連続して１０時間程度電池で使用できることが望まれる。余裕をみると最低２０〜３０時間、理想を言えば電卓並みの１００時間以上の電池使用可能時間が求められている。
【０００４】
これに対し、現実に入手できるノートパソコンの電池使用時間は２〜３時間に過ぎない。従って、長時間の会議で使用中に電池がなくなり電源が切れ入力作業が中断する等の不具合が発生している。また電池使用可能時間が短いために頻繁に充電する必要がありわずらわしい。
【０００５】
ノートパソコンは小型軽量ではあるにもかかわらず電池使用時間が短いためノートパソコンの形態使用は不便なものになっていた。
【０００６】
ここで電卓・電子手帳等の既存のポケット型ポータブル情報機器を考えてみると、これらはパソコンに比べ処理速度が格段に遅いためその分消費電力が小さい。このため現状の一次電池を用いても数年程度使用でき、電池寿命を殆ど気にする必要がなかった。これに対しノートパソコンは据え置きパソコンと同じ位処理速度が速いため消費電力が大きい。このため既存のポケット型ポータブル情報機器に比べると２〜４桁消費電力が大きい。高性能の充電式電池を使っても現在の技術では２〜３時間の電池寿命が最高である。前に述べたようにこの電池寿命では使用者が満足しない。この短い電池寿命を補う省電力技術として、様々な対策が考えられ、このうち一部は実施されている。
【０００７】
以下、従来の技術について説明する。
【０００８】
まず「レジューム」機能と一般的に呼ばれているものが一部のノートパソコンに搭載されている。これは不使用状態が一定時間続くと、最後のコンピュータの再起動に必要な情報を不揮発性のＩＣメモリーに退避させ、ＣＰＵと表示部等の電源を自動的に切る方式を採用している。再び使用したい時に、電源スイッチを入れると、退避させられたＩＣメモリー内の情報に基づき、短時間で電源切断時の前の処理状態と表示内容を復元するものである。この方法は実質的な使用時間延長の効果があり現実的である。
【０００９】
しかし、一定期間例えば５分間キー入力を全くしないと強制的に機器の全電源が切られてしまう。表示が消えてしまうため操作者は表示内容を確認できなくなり、作業も中断される。表示内容を確認したい場合や、再び入力作業を続行する時には電源スイッチを入れる必要がある。このことは使用者にとってはわずらわしい。この省電力方法は実質的な電池寿命を永くするが、使い勝手はかなり悪くなるという欠点があった。
【００１０】
【発明が解決しようとする課題】
上記の従来の構成では消費電力を低減する手段として、単に主な処理回路部と表示回路部を含む殆ど全ての電源を停止してしまうだけであった。このため上に述べたように使用者は不使用状態が一定期間続くと電源が自動的に切れてしまうため、間欠的な処理作業の場合は装置の電源を頻発に入れる必要があった。そしてノートパソコンの場合、使用者の大半は間欠的な処理を行っていることがこの欠点を大きくしていた。
【００１１】
本発明は上記従来の課題を解決するもので、不使用状態が一定時間続いたことを検出した時点、もしくは主要な処理が完了した時点で主要処理部の電源を停止させると同時に表示部の表示を継続させる情報処理装置を提供することを目的とする。
【００１２】
【課題を解決するための手段】
この課題を解決するために、本発明の情報処理装置は、
バックライトと液晶表示部と使用者からの外部情報を入力する情報入力部とを含む情報処理装置であって、
前記液晶表示部は、前記バックライトからの透過光により表示を行う透過モードと、外光の反射光により表示を行う反射モードとにより表示を行い、
前記情報入力部への入力が一定時間中断した場合または長時間中断した場合で、かつ、前記液晶表示部の表示が一定の時間継続した場合、前記液晶表示部の表示内容の全部または一部を書き替えることにより永久メモリー現象を防止することを特徴とする。
また、本発明の情報処理装置は、
バックライトと液晶表示部と使用者からの外部情報を入力する情報入力部とを含む情報処理装置であって、
前記液晶表示部は、前記バックライトからの透過光により表示を行う透過モードと、外光の反射光により表示を行う反射モードとにより表示を行い、
前記情報入力部への入力が一定時間中断した場合または長時間中断した場合で、かつ、前記液晶表示部の表示が一定の時間継続した場合、前記液晶表示部の表示内容の全部または一部を書き替えることを特徴とする。
【００１３】
前記情報処理装置は、前記液晶表示部によって透過モードで表示が行われている場合、一定時間、前記情報入力部の入力があるか否かを判断し、
前記情報入力部に対して一定時間、前記情報入力部の入力がない場合、前記バックライトの電源をオフにして、前記液晶表示部によって反射モードで表示を行い、
前記液晶表示部によって反射モードで表示を行っている場合、前記液晶表示部によって一定の時間、液晶表示部の表示が継続したか否か判断することが好ましい。
また、前記液晶表示部は、前記バックライトに対して表示側に反射層と液晶層とが設けられ、
前記反射層は、表示側から前記液晶層を通して入射した入射光を反射して、前記液晶層を通して表示側に出るように構成されるとともに、
前記反射層は、開口部を複数個有し、前記バックライトからの光が前記開口部を透過して、透過された透過光が前記液晶層を通して表示側から出るように構成されていることが好ましい。                                     
【００１４】
【発明の実施の形態】
以下本発明の一実施例について、図面を参照しながら説明する。
【００１５】
（実施例１）
図１は本発明の第１の実施例における情報処理装置のブロック図である。情報処理装置は情報入力部３と第１処理ブロック１と第２処理ブロック９９の４つのブロックから構成される。
【００１６】
まず、情報処理装置はキーボード等の情報入力部３に使用者からのキー入力や通信インターフェース等の情報入力手段による外部入力があった場合、第１処理ブロック１に情報を伝える。第１処理部４でキー入力のどのキーが押されたかもしくはどのような情報が外部から入っていたかを検知し、第１メモリー５の情報に基づき次の処理の判断を行なう。
【００１７】
まず、図２のａに示すように一定の時間情報入力部３に入力情報がない時点でかつ第２処理部７の動作が完了した時点では中断制御部６により第２処理部７および表示回路部８に対してクロック信号を停止および、または強制的に省電力処理を行なう。
【００１８】
図２を用いて省電力方法を詳細に説明する。
【００１９】
図２のａに示すようにｔ＝ｔ１において情報入力部３にｎ回目のキー入力があった場合、この情報は情報入力部３から第１処理部４へ送られる。
【００２０】
そして、第１処理部４でキー入力の内容を判断し、第２処理部７の処理が必要な場合のみ、中断制御部６と起動命令線８０を介して第２処理部７に起動命令を送り、第２処理部７を強制起動させて第２処理部７に情報を送る。図２のｃのｔ＝ｔ3に示すように第２処理部７は起動された後入力に応じた処理を行い、また第２処理部７処理完了の後、第１処理部４に終了信号を送り第１処理部４もしくは、中断制御部６は起動命令線80を介して終了命令を第２処理部137に送る。すると、第２処理部7は最終の処理内容に関する情報、例えばＲＡＭメモリーの内容やレジスターの内容等を一旦第２メモリー９に退避させた。その後図２のｃのｔ＝ｔ5に示すように第２処理部７の処理を停止もしくは機能低下させ消費電力を大幅に削減させ省電力モードに入る。第２処理部７が停止したｔ＝ｔ5以降においても第２メモリー９は電池でバックアップされているか不揮発性メモリーを使用しているためメモリー内容は保存される。表示変更が必要な場合、第２処理部７は第１処理部４へ表示変更情報を送る。第１処理部４は表示起動命令線８１を介して表示回路８に表示起動命令を送り表示回路を起動させる。図２のｄに示すようにｔ＝ｔ4において処理された情報は表示回路部８に送られ、表示回路８はビテオメモリー８２もしくは、第二メモリー９から、前回の表示内容のイメージを呼び出し、第２処理部７から送られた表示変更、情報に基づき新たなイメージを作り上げる。そして、表示部２に処理情報を表示する。その後表示回路８はｔ＝ｔ6において自らの指令、もしくは終了信号を中断制御部６を介して第１処理部４に送り第１処理部４の指示に基づき表示回路８のクロック等の動作を停止もしくは低速化し表示省電力モードに入る、これ以降の表示回路８の電力消費は図２のｄのｔ＝ｔ6以降に図示するように大幅に削減される。
【００２１】
ｔ＝ｔ6以降では表示回路部８は停止もしくは停止に近い状態にあるが、表示部２は強誘電性液晶等のメモリー効果をもつ素子から構成されているため表示内容は保持される。ここで表示部２の内容を説明する。表示部２は単純マトリクス液晶の場合、図３のようにマトリクス状の電極をもつ。水平ドライブ部１１と垂直ドライブ部１２に接続された水平垂直２方向の水平ドライブ線１３と垂直ドライブ線１４から構成される。電圧印加に伴い図４にピクセルの一つの状態を示す。
【００２２】
各ピクセルはガラス１５、１６の上に設けられた水平ドライブ線１３と垂直ドライブ線１４による電極により強誘電性液晶１７に信号が印加される。
【００２３】
図４（ａ）は光不透過時の状態を示す。信号印加により、強誘電性液晶１７の向きが変化し、透過光の偏光角は変化し、偏光板を構成することにより、この状態では光を透過させる。
【００２４】
次に逆方向の電圧を加えると、強誘電性液晶１７の向きは変わり透過光の偏光角は９０度回転し、偏光板により図４（ｂ）に示すように光を通さなくなる。強誘電性液晶の特長の一つはメモリー効果である。図４（ｃ）に示すように電源を停止しても図４（ｂ）の状態と同じ状態を保つ。従って、ｔ＝ｔ6から次に述べるｔ＝ｔ14まで表示回路８を全く作動させなくとも表示は継続される。こうしてｔ＝ｔ6以降は省電力モードになり情報入力部３およびは第１処理部４が作動しているにすぎない。
【００２５】
第１処理部４はキー入力の文字コードへの変換等の処理しか行わない。このキー入力は人間が手で行うため多くても１秒間に数十回しか入力できない。人間の入力速度はマイコンの処理速度と比較すると数桁遅い速度である。従って第１処理部４の処理速度は電卓程度の遅い速度でよい。このため消費電力も据置きパソコンのＣＰＵに比べて、数桁少ない。図２のｂに示すように、第１処理部４は情報処理装置１の電源スイッチ２０が入っている間動作しているが、消費電力が少ないため、全体の電力消費量を少なく抑えることができる。
【００２６】
次にｔ＝ｔ11においてＮ＋１回目のキー入力があった時はｔ＝ｔ12において、第１処理部４はキー入力の内容を判断し、必要な場合中断制御部６を介して、もしくは直接に第２処理部７に起動命令を送り起動させる。第２処理部７は起動命令に基づきクロックによる処理を再開し、第２メモリー部９に入った情報、すなわちｔ＝ｔ5において前回停止した時の情報、例えばメモリー内容、レジスタ情報、表示内容等の情報を読みだし、ｔ＝ｔ5時点のＣＰＵ環境を完全に復元する。この後ｔ＝ｔ13において第１処理部４からの情報が第２処理部７に送られ、処理が再開される。第２処理部７は高速の演算も可能なように処理速度を速くしてあるため消費電力も一般パソコンに近い。もし連続的に動作させた場合、既存のノートパソコン同様、電池寿命は短い。しかし本発明では間欠的に省電力モードに入るため、消費電力はその分低くなる。
【００２７】
この省電力モードを説明すると、例えばＷＰソフト等の場合一つの処理に要する時間は通常で１ｍｓ以下である。一方、人間のキー入力は最も速くても数十ｍｓである。従って、図２のｃに示すように第２処理部７のｔ13からｔ15までのピーク消費電力は大きいが、平均消費電力はこのピーク値の数十分の一から数百分の一になる。つまり省電力モードにより大幅な省電力化が図れる。
【００２８】
ｔ＝ｔ14において第２処理部７は表示部２へ表示内容の変更部分のみの情報を送る。
【００２９】
ｔ＝ｔ14以前では表示部２はｔ＝ｔ6において変更された表示内容を、その強誘電性液晶１７のメモリー効果により、表示回路８が動作していなくても継続して表示している。ｔ＝ｔ11のキー入力に基づき表示内容が変更された部分のみｔ＝ｔ14において部分書き替えを行う。この部分書き替えは特定の水平ドライブ線１３と特定の垂直ドライブ線１４に電圧を加えることにより、一行から数行分の、表示内容を変更する。この場合、全体の書き替えに比べ処理時間が短くなる上に、その分消費電力が少なくなる。
【００３０】
図２のｃのｔ＝ｔ15において第２処理部７は動作を停止し再び省電力モードに入る。図２のｃのｔ＝ｔ15の前に第２処理部７の処理が完了した時点、もしくは第１処理部４から終了指令を受けた時点で第２処理部７は、最終の処理情報を第２メモリー９に待避させる。
【００３１】
次にｔ＝ｔ14において第２処理部７は動作を停止又は低速化し、省入力モードに入る。ｔ＝ｔ21，ｔ31，ｔ41，ｔ51，のように短い間隔で入力情報がきた場合、例えば複数のキー入力や通信ポートからの入力の場合、図２のｃに示すようにｔ＝ｔ23，ｔ33，ｔ43と省電力モードに入る。第１処理４が入力情報の間隔が一定の間隔より短いと判断した場合、第１処理４から省電力モード中止命令が出て、図２のｃのｔ＝ｔ43以降に示すように、第２処理部７を強制終了させず、省入力モードに入らない。そして入力情報の間隔が長くなった時点で元のように省電力モードを開始する。
【００３２】
また、キー入力が一定の時間ないことを第１処理部４が検知した場合、第１処理部４を含む主要な動作を停止させ電源を切ってしまい、電源停止モードに入る。但しメモリー内容は電池でバックアップされる。ほぼ完全に電源は切れてしまう。
【００３３】
但し電源を切る前に第１処理部４は直接もしくは第２処理部７を介して表示回路８に電源停止表示命令を送り、図５(b)に示すように第７表示２１を表示し電源停止表示させた後、電源停止モードに入る。表示部２はメモリー効果をもつためこの表示は、電源停止後も表示されるため、使用者は省電力モードと電源停止モードの区別ができる。
【００３４】
省電力モードの場合はキー入力により動作が再開し、使用者は動作が中断していることを全く意識する必要がない。
【００３５】
しかし、電源停止モードの場合は、電源停止の表示が出ているため、これをみて使用者は電源スイッチ２０を入れることにより、第２処理部７が第２メモリー９から前の処理状態を復活させ、前回と連続した次の作業を始めることができる。この部分は既存の「Resume」モードと同じである。
【００３６】
ここで、以上の動作を図６のフローチャートを用いて説明する。ステップ１０１において、電源ＳWＯＮすると、ステップ１０２において第１処理部４が動作始める。ステップ１０３において情報入力部３からのキー入力等の入力情報は第１処理部４に送られ、ステップ１０４で、一定時間入力中断状態があったか判断される。入力中断時間：ｔが大きい場合ステップ１０５に向け、第２処理部７が動作中ならステップ１０３に戻り、動作中でないならステップ１０６の全体の電源をＯＦＦさせステップ１０７動作停止しステップ１０１の電源ＳWが押されるまで停止する。
【００３７】
ステップ１０４に戻ると入力中断時間ｔが数分の場合ステップ１０８に向い第１処理部４及び第２処理部７の処理頻度が低い場合はステップ１０８のバックライトの電源をＯＦＦにしてバックライトの省電力モードに入る。
【００３８】
ここでステップ１０４に戻り入力中断時間ｔが小さい場合、ステップ１１０の第１処理部の処理をステップ１１０ａで表示が長時間持続しているかチェックし、長時間持続している場合は、表示の固定化焼付きを防ぐためのステップ１１０ｂで表示部２の表示のリフレッシュを行い、ステップ１１２ａで第２処理部の処理頻度を判断し、大なら、ステップ１１で第２処理部７を常時動作させておく、小ならステップ１１１へ向かう。ステップ１１１で第２処理部７の処理が必要ないと判断した場合、ステップ１０３に戻る。
【００３９】
そしてステップ１１１で第２処理部７の処理が必要と判断した場合、ステップ１１２へ向かう。ａステップ１１２で第２処理部７が動作していない場合ステップ１１３ａに向かい、第２処理部７を起動させる命令を第２処理部７へ出す。これを受けて、ステップ１１３で、第１処理部４及び、中断制御部６により、第２処理部７は起動させられ、ステップ１１４で第２処理部の処理を開始させる。そしてステップ１１５で表示の変更があると判断した場合、第２処理部７はステップ１１６ａで中断制御部６と第１処理部４に表示偏光情報を与える。するとステップ１１６ｂで、中断制御部６は表示部起動命令を表示ブロック９９へ送る。ステップ１１６ｃで表示回路８を起動し、ステップ１１７で表示部２の部分書き替えを含む表示変更を行い、ステップ１１８で表示変更の確認後、ステップ１１７ａで表示完了情報を第１処理部４へ送り、ステップ１１７ｂで表示完了命令を受けとり、ステップ１１９で表示部の作動停止を行う。
【００４０】
ここで、ステップ１１５に戻ると表示変更がない場合に戻る。ステップ１２０で第２処理部７の処理完了を確認した後、ステップ１２０ａで第２処理部の完了情報を発生させ、処理部終了命令を受けて、ステップ１２１で第２処理部７の機能を停止した後ステップ１０３の状態に戻る。
【００４１】
図７と図８は、実施例１をノートパソコンとして具体的に構成した場合のブロック図を示す。
【００４２】
図８を説明すると情報入力ブロック９７はキーボード２０１とＲＳ２３２Ｃの通信ポート５１とフレキシブルディスクコントローラー２０２で構成される。別に、ハードディスク２０３がある。第１処理ブロックの中は、主として第１処理部４で構成される。第２処理ブロック９８の中は、クロック停止により省電力モードに入り、クロック供給により復帰する方式のＣＰＵを採用した第２処理部７があり、バスライン２１０が接続されている。バスライン２１０には、起動用のＲＯＭ２０４と、ＤＲＡＭで構成された第二メモリー９とレジューム時の各部のレジューム状態からの復帰情報を記憶するＳＲＡＭからなるバックアップＲＡＭ２０５が接続されている。バスライン２１０には、第１処理部４や、表示ブロック９９が接続されている。表示ブロック９９の中は、表示回路として、グラフィックコントローラー２０６や液晶コントローラー・ドライバー２０７が含まれる。また、ビデオＲＡＭ２０９と液晶２０８もある。以上の構成要素の中から必要に応じていくつかを動作状態とし、残りを停止状態にすることにより、省電力化を計ることができる。この省電力方法を、表１に示す。
【００４３】
【表１】
0003541034.tif 000002
【００４４】
ＷＰ等の通常入力時は、間欠的なキーボード入力となる。従って、電源は、通信入出力部を除き、ＯＮ状態とする。そして、第１処理ブロック１にクロックを与え、第２処理ブロック９８と表示ブロック９９にはクロックを与えない。従って、電力消費は、第１処理ブロックのみで発生する。必要に応じて、第２処理ブロック９８や、表示ブロック９９にクロックを供給して短時間間欠的に起動させる。次に、頻繁な処理の時は、第２処理ブロック９８を常時クロック動作状態にして、処理速度を速める。
【００４５】
一定時間キーボード入力がない時は、第２処理ブロック９８の電源を停止させ、メモリー内容をバックアップさせ、次のキーボード入力が来た段階で復帰させる。
【００４６】
図８は図７とほぼ同じであるが、クロック周波数が低い第１処理部４を全体の“モニター”として用い、実際の処理はクロック周波数の高い第２処理部７で行う場合を示している。第１処理部４はキーボード２０１のキーボード入力に応じて、第２処理部７をその都度、起動させ処理を行わせるイベント処理を行う方式である。処理完了後第２処理部は停止し、省電力化を計る。次のキーボード入力まで停止する。表示ブロック９９は第２処理部７からの表示信号に基づき起動し、表示完了後自動的に停止する。図８の方式は従来のＯＳに近いＯＳで動作するという効果があり、在来ソフトとの互換性が高くなる。在来のＭＳ-ＤＯＳは１つのＣＰＵで動作するように設計されている。図７の方式ではＣＰＵは２つとみなせるので在来の応用ソフトを動かす場合には、互換性に問題が生じる可能性があった。又互換性の問題がない場合でも在来ＯＳでは省電力効果は落ちる。従って在来ＯＳと本発明の２ＣＰＵ用の専用ＯＳ、専用ソフトの２つを搭載することにより、ＷＰソフトで用いた場合は本発明の専用ＯＳ用のソフトを動かし、数十〜数百分の１の省電力化を計る。そして、汎用ソフトは、在来ＯＳ用ＯＳを用いる。この場合、省電力効果は落ちる。実際はノートパソコンの80％程度がＷＰ用途のためこの構成により大巾な省電力効果が計れる。
【００４７】
図９は、実施例１の別の具体的なブロック図で図１０はフローチャート図である。これは、ＭＳ-ＤＯＳ等の従来のＯＳで作動させる場合の方法を開示したものである。第２処理部７は、クロックや電源を停止してもレジスタや内部ＲＡＭ等の情報が保持される方式のＣＰＵを用いている。ステップ２５１でキー入力があった場合、ステップ２５２で第１処理部４はキーボード２０１からのキーボードのコード信号を、常時動作状態にある起動部２２１に送る。ステップ２５３起動部２２１は、休止状態にある主処理部２２２にクロックを送り、動作状態にさせる。レジスタ２２４と内部ＲＡＭ２２３はバックアップされているためクロック供給により、瞬時に起動する。ステップ２５４で主処理部２２２は、プログラムを入力待機にさせた状態で停止しているため、この状態からプログラムはスタートする。そして、ステップ２５５でキーボード入力を受けＷＰ等のプログラム処理を行う。ステップ２５６で処理に応じて、必要なら、ステップ２５７で表示命令を出力し表示を書き換える。ステップ２５６でグラフィックコントローラ２０６を起動させ、ステップ２５９でビデオＲＡＭ２０９の内容を書き換え、ステップ２６０で液晶コントローラドライバ２０７を起動させステップ２６１で、強誘電性液晶の液晶２０８を部分書き換えした後、ステップ２６２でＶＲＡＭ２０９をバックアップした後、表示ブロック９９は停止し、ステップ２６３で省電力モードに入る。ステップ２７０で第２処理部７の処理完了した後、ステップ２７１で走行しているプログラムを“キーボード入力待機状態”の段階でプログラムを停止させ、ステップ２７２でレジスタ２２３と内部ＲＡＭ２３４等の復帰に必要な内容と第２メモリー９をバックアップし、ＣＰＵのクロックを停止させる。ステップ２７３で第２処理部７の停止し、省電力モードに入る。但し、起動部２２１は作動しているためステップ２５１で新たなキーボード入力や通信ポート５からの入力があるまで、入力待機状態にさせる。従って、第２処理ブロック９８の中では、起動部２２１しか作動していない。図９の方式はこのＣＰＵはクロックを停止させてもレジスタ等の内容がバックアップされ保持できる。クロック再開とともに、瞬時に復帰する方式のＣＰＵを用いている。主として作動するＣＰＵは１つである。従って、従来のＯＳを使えるという特徴がある。在来のＷＰ等のソフトも、少し変更するだけで使用できるため在来のソフト資産を使えるという大きな効果がある。従って、現時点では、極めて現実的な方法といえる。後に述べる実施例２のような第１処理部４により直接表示を書き換えることによりさらに大巾に電力消費を削減できる。
【００４８】
長時間キーボード入力がない時、レジュームモードに入り、殆どの電源を停止させる。特に、強誘電性液晶の場合メモリー効果があるが、同じ表示内容を連続的に表示させた場合、放置準安定化現象と呼ばれる永久メモリー効果が現われる。これを避けるため、省電力モード時、もしくは電源停止モード時にタイマー２２が、一定の時間、表示が継続したことを判断した場合、第１処理部４や電源スイッチ２０に表示変更命令を送り、表示回路８により表示部２の表示内容の全部もしくは一部を書き替え永久メモリー現象を防止する。
【００４９】
万が一、永久メモリー現象が起こり、表示部２の一部が表示変更できなくなった場合は、表示リセットＳＷ２３によりヒーター２４を介して表示部２の温度を上げ、液晶の配列を整えることにより、表示部２の表示内容変更が再び可能となる。
【００５０】
なお、省電力モードでは第２処理部７のクロックを停止することにより電力削減できるが、更に低下させるには中断制御部６により、第２処理部７もしくは表示回路８への電源供給を停止することにより、より完全な省電力化がはかられる。
【００５１】
電源停止モードでは、第２メモリー９の電源バックアップだけしか電力消費しない。
【００５２】
図１のように電池使用時は、バックライト２５を消し、反射回路２６を介して反射素子２７を作動させ反射モードで使用する。
【００５３】
図１２（ａ）（ｂ）のように反射素子２７としては、フィルム状の強誘電性液晶素子の透過モードと散乱モードを用い図１２（ａ）に示す透過を図１２（ｂ）に示す反射を用い反射と透過を切り替えることができる。入射光３２は反射部２７で乱反射し反射光３３となる。この場合偏光フィルムは、表示部２と反射素子２７の偏光板を兼用することにより部品点数を削減できる。またフィルム状のエレクトロクロミック表示素子を用いることにより、透過状態と、白紙のような白い乱反射状態の２つのモードを実現できる。
【００５４】
又、反射素子２７は図１３(ａ)(ｂ）のように固定式でもよい。反射素子２７は低屈折率光透過部２８と高屈折率光透過部２９からなる光透過部と、部分的に開口部３０をもつ反射部３１から構成されている。
【００５５】
図１３（ａ）に示すようにバックライト部２５からの光は、光屈折率光透過部２９の中に入るが、低屈折率光透過部２８との界面で全反射し、図に示すように開口部３０から偏光板３５に入り、偏光となった後液晶部１７に入光し、外部に放射され明るい表示がなされる。
【００５６】
次に、電池使用的に反射モードで使う場合は図１３（ｂ）に示すように外部からの光３２は液晶部１７を透過しアルミの蒸着等からなる反射部３１で反射し、反射光３３は液晶１７を通り、外部に表示される。
【００５７】
この反射部２７は外部駆動回路が要らないため、全体構成が簡単になるという効果がある。この光屈折率と低屈折率の作成法は屈折率分布レンズで一般的に用いられている、溶融塩に侵す方法で用意に作成できる。
【００５８】
透過・反射兼用型液晶ディスプレイは透過もしくは反射専用型液晶ディスプレイに比べると表示品質が劣るという問題点があったがこの反射と透過を切り替えることにより、透過時と反射時のどちらの表示も専用型と同等の表示ができるという効果が生まれる。このため電池・ＡＣの二電源駆動用途に適している。
【００５９】
外部電源を使用する場合は第１処理部４の指令によりバックライト２５が点灯するとともに、第１処理部４より反射回路２６に透過命令が送られ、反射素子２７は透過状態になり図１２（ａ）に示すように、表示は透過光により非常に表示は明るくなる。
【００６０】
次に電池を使用する場合は第１処理部４より、反射表示回路２６に反射命令が送られ、反射素子２７は乱反射を含む反射状態になり、図１２（ｂ）に示すように、外光による反射光による表示がなされる。この場合バックライト２５の分だけ消費電力が減る。
【００６１】
又、図１４（ａ）（ｂ）に示すようにアルミのような金属板にテーパーのついたまる穴を設けた反射透過板３４を使用することにより、図１３（ａ）（ｂ）と同じ効果が得られる。
【００６２】
以上のような構成をとることにより間欠的なキー入力に対してＣＰＵは間欠動作し、平均的な消費電力は大幅に減少するという効果がある。
【００６３】
しかもこの場合、表示は継続するため処理部の動作が停止しても使用者に全く、異和感を与えない。このため操作性を全く損なわずに大幅な省電力化ができるという効果がある。
【００６４】
又、具体的には、キー入力の周期は数十ｍｓ、これに対しＷＰソフト等の場合一回のＣＰＵ処理時間は平均すると数十〜数百μｓであるため数十ｍｓのうち１／１００〜１／１０００の動作時間働けばよい。このため間欠動作させることにより、消費電力も連動して低減される。しかしＣＰＵの間欠動作だけでは、表示部が０．５〜１Ｗ、全体の１０〜２０％程度の電力を消費するため、もしＣＰＵの諸費電力が１／１０００になっても表示部が作動していれば対策前の１／１０〜１／５の消費電力は残ることになる。本発明では、表示部に強誘電性液晶等のメモリー効果のある表示素子を用いるため表示に要する電力消費をＣＰＵ同様、間欠動作させられる。
【００６５】
従ってＷＰ等のキー入力主体の用途の場合、全体の消費電力を１／１００〜１／１０００に下げることが可能となる。
【００６６】
（実施例２）
図１５は一実施例のブロック図を示す。実施例２では、第１処理部４の機能を強化し、消費電力の大きい第２処理部７の作動頻度をさらに少なくしたもので、より低消費電力化が図られる。
【００６７】
実施例１の図１との構成上の違いは、第１処理ブロック１から表示ブロック９９へ表示指示信号を伝送する信号線９７がある点にある。第１処理ブロック１の中の第１処理部４が直接表示ブロック９９の中の表示回路８に指示変更信号を出し、表示部２の表示内容を変更する。なお実施例１では第２処理部７が表示回路８に表示変更信号を与える点を述べた。
【００６８】
図１６は第１処理部４に関連したブロック図をさらに詳しく説明したもので、第１処理部４は第１メモリー部５の中にアルファベット・かな等のフォントのドットパターンをＲＯＭ等により記憶する第１フォントＲＯＭ部４０と、イメージメモリー部４１と一般メモリー部４２の三つの部分をもつ。
【００６９】
また図１１に示すようにフォントメモリーとして、第２メモリー部９の中の第２フォントＲＯＭ部４３を用いることもできる。
【００７０】
従って第１処理部４だけで次の一連の簡単な表示を変更する処理ができる。キー入力に基づき文字コードを発生し、文字コードに対応したフォントパターンを第１フォントＲＯＭ部４０もしくは第２フォントＲＯＭ部４３から読み込み表示回路８を介して表示部２に表示を出すことができる。第２メモリー９の中には第２一般メモリー４４がある。
【００７１】
つまり大きな処理を伴わないデータ文字列の入力時は、低消費電力の第１処理部４が主に表示の変更処理を行なう。大きな処理が必要な場合は消費電力の大きい第２処理部７が処理をする。このことにより、第２処理部７の動作頻度が減り、より省電力化をはかれる。この場合図１６に示すように、第２メモリー部９の中の第２フォントＲＯＭ４３のフォントパターンを呼び出すことにより第１メモリー部５のメモリーを削減できる。
【００７２】
実施例２を図１８と図１９のフローヂャートを用いて説明すると図１８のフローチャートは基本的に実施例１の図６のフローチャートと同じである。
【００７３】
違いは、第１処理部４が直接表示回路8を起動する。このためステップ１３０と表示フローチャート１３１が追加されている点にある。ステップ１３０で第１処理部４で処理可能な単純な表示変更であると第１処理部4が判断した場合、表示フローチャート１３１に向う。この中を簡単に説明すると、まず、ステップ１３２で表示ブロック９９が起動され、ステップ１３３で表示内容が変更され、ステップ134で表示変更を確認した後、ステップ１３５で表示ブロックの電源をＯＦＦしてステップ１０３の情報入力の待機状態に戻る。このステップ１３３の表示内容の変更をさらに詳しく説明したのが図１９である。ステップ１３２で第１処理ブロック１の起動合図により表示ブロック９９の起動を行なった後、ステップ１４０でカーソルの移動のみの場合は、そのままステップ１４１のカーソルの部分書き換えを行なう。そうでない場合は、ステップ１４２での表示部２の入力予定領域に既に表示が存在するか確認する。これは、イメージメモリー部４１の内容を第１処理部４によれ確認できる。ＮＯの場合はそのままステップ１４３の部分書き換え処理を行う。ＹＥＳの場合はステップ１４４に向う。ステップ１４４では表示部９９の入力予定領域に存在する表示内容をイメージメモリー４１で確認し、今回の表示変更に前回の表示内容が必要かを判断する。ＮＯの場合はステップ１４３で部分書き換えにより上書きを行うだけでよい。ＹＥＳの場合は、ステップ１４５で、入力予定領域に相当するイメージをイメージメモリ４１もしくは第２フォントＲＯＭ９から呼び出し、今後、新たに表示したいイメージを合成する。ステップ１４６では、白黒反対モードかどうかを判別し、ＹＥＳならステップ１４７で、そのイメージの該当部分を反転して表示する。ＮＯならステップ１４８で表示変更該当部の表示の部分書き換えを行い、ステップ１３４表示変更を確認して、ステップ１３５で表示ブロック９９を停止させる。
【００７４】
具体的に説明すると、図２０はキー入力に対する各部の処理状況を示したものでｔ＝ｔ１において図２０のｅに示す、“Ｉ”なるキー入力があった場合、第１処理部４は“Ｉ”なる文字コードに変換し、この文字コードに相当するフォントパターンを図１６に示す第１フォントＲＯＭ４０から読み込み、表示回路８を駆動させ表示部２に図２０ｅに示す“Ｉ”なる表示を発生させる。この場合、強誘電性液晶などのメモリー効果型ディスプレイの場合、部分書き替えができる。部分の書き替えには２種類の方法がある。一つは、一点を書きかえるドット部分書き替えと、水平又は、垂直のライン一本分の全ドットを書き替える。ライン部分書き換えがある。当然ドット書き換えの方が低消費電力であるが、高電圧が必要であり、コストが高くなる。ライン書き換えは１ドット書き換える場合でも、一ライン全部書き換える必要があるが低い電圧で良い。実施例では両方の表示方法について述べる。
【００７５】
図３に示した水平ドライブ部１１と垂直ドライブ１２の耐電圧が高ければ“Ｉ”の列だけの一点一点単位の部分書き替えができる。従ってこの場合、第１処理部４は“Ｉ”に対応するフォント一ヶ分の情報を発生すればよい。しかし耐圧の高いＩＣのコストは高い。コストを下げるためには、この耐圧は低いことが望ましい。従って現在の半導体プロセスでは、要求耐圧を下げるために、行単位の部分書き替えにも対応しておく必要がある。
【００７６】
この場合、第１処理部４は第１メモリー５の中に、最低一行分のイメージのメモリーをもつ必要がある。
【００７７】
日本語の場合、６４０×２４ｄｏｔ分のメモリーとなる。この場合“I"を書き替えるためには、その一行分、つまり６４０ｄｏｔ分を２４ライン分書き替える必要がある。
【００７８】
第１処理部５のイメージメモリー４１から前のイメージを読み出し、“Ｉ”のパターンを第１フォントＲＯＭ４０から読み出し、合成し一行分のイメージを作り上げる。この情報に基づき、表示回路８を介して表示部２の一行分を書き替える。同時にその新しい一行のイメージをイメージメモリー４１に記憶させる。これで“Ｉ”の表示変更は完了する。
【００７９】
この場合、図１６のように、第２フォントＲＯＭ４３を用いる場合は、コード情報を一行分もつだけでよいため、第１フォントＲＯＭ４０やイメージメモリー４１は不要となる。この場合、一行分のデータは約40キャラクター２バイト文字で、一行あたり４０×２＝８０Ｂでよい。この場合、全画面分のコード情報を第１メモリー５の内部にもつこともできる。
【００８０】
以上の２通りの方法で“Ｉ”なる表示が完了する。この場合、第２処理部７の処理は図２０のｃに示すように全く行なわれない。
【００８１】
同様にして、ｔ２で“スペース”をｔ3で“Ｌ”をｔ4で“ｉ”をｔ5で“ｖ”をｔ6で“ｅ”にキー入力に対す表示が、第１処理部４のみで行なわれる。第１処理部４は第２処理部７に比べると著しく処理速度が遅いが、一行の表示処理を行なうには、充分な速度である。これにより低消費電力化がはかれる。
【００８２】
図２０ｔ7においては大量の処理を指示するキー入力、例えばＷＰ入力時のスペルチェックや日本語から英語への翻訳処理や日本語のカナ漢字変換処理表計算の演算命令が入った状態を示している。
【００８３】
この場合、第１処理部４は第２処理部７の処理が必要であると判断し、ｔ71において、第２処理部７を起動させる。この起動状態は実施例１で述べたのと同時である。第２処理部７は図２０のｃのように、ｔ71において起動し中断前の処理状態に戻り、第１処理部４からの文字列の情報を受け処理を行なう、必要に応じて図２０のｂのようにｔ72において、表示回路８を介して表示部２の表示内容を変更する。
【００８４】
この経過は日本語から英語の翻訳処理の入力例を用いると説明しやすい。図２０ｆにおいて、ｔ２でＫがキー入力され図２０ｈにおいてＫがそのまま表示される。ｔ１でａが入力されると図２０ｈに示すように“ka"と表示される。
【００８５】
ここまでは図２０のｃに示すように第２処理部７は動作しない。ｔ7において翻訳変換キーが押された時、ｔ71から第２処理部７の処理が始まり、翻訳処理により“kareha"の日本語が、“He is"という英語に翻訳される。この処理結果は表示回路８に送られ、ドット書き替えが行なわれる。
【００８６】
図２０のｈに示すように“He is"と表示される。図２０のｄに示すのライン書き替え時の消費電力に比べて図２０のｇに示すように、ドット書き替え時の消費電力は少ない。
【００８７】
次に図２１を用いてカーソル移動時の消費電力削減のために、図２１の（ａ），（ｂ）のように白黒反転モードを用いると、ライン書き替えの場合消費電力が大きい。従って、図２１の（ｃ），（ｄ）のように行間のラインを用いて横棒のカーソルを表示することにより、一行の表示書き替えが不要となり、省電力化できる。また高速化されるため、低速の第１処理部４で処理しても応答が速くなる。このことはドット書き替えモードでも効果がある。
【００８８】
図２２の（ａ）に示すように、カーソルの移動だけは横棒カーソルを用いる。この場合、目立ちやすくするために、第１処理部４により間欠的に白黒反転表示させると、より効果的である。そして(b)のようにキー入力があった場合のみ、一字分の反転表示させる。この切り替えにより、少なくともカーソル移動時の消費電力は少なくなる。
【００８９】
図２２の（ａ）〜（ｈ）は図２０ｔ１からｔ7までに対応し、(i)は再変換時の表示を示す。
【００９０】
図２３はドット書き替え時に(a)〜(g)は文章中に挿入入力する時の状態を示し、第２フォントＲＯＭを図１６の構成で用いる場合は、全ての漢字コードが第１フォントＲＯＭ４０に入っている訳でないので、一行分のイメージ情報をイメージメモリー４１にもっておく必要がある。そして図２３（ｃ）から（ｄ）のように後退する時は“ｎ”というイメージをイメージメモリー４１から復元するため、第２処理部７や２フォントＲＯＭ４３を用いなくても(d)なる表示が可能となる。
【００９１】
図２４の（ａ）〜（ｇ）は“He is man"なる文字列を、コピーする状態を示す。(a)〜(f)までは第１処理部４だけで処理できる。(g)は挿入処理が必要なため第１処理部４の能力でほぼ処理できる。第２処理部７が動作する。
【００９２】
実施例２の場合、実施例１において第２処理部７が処理していた部分の大半を、低消費電力の第１処理部４が処理するため、実施例１に比べてさらに平均消費電力が下がるという効果がある。
【００９３】
ただし、ＷＰや表計算のソフトにより第１処理部と第２処理部の分担比率の最適値は異なる。従ってソフトにより第１処理部４は分担内容を変化させ、消費電力と処理速度とのバランスの最適化を図ることもできる。また図２５のようにビデオメモリー８２を表示ブロック９９に加え第１処理部４と接続線第９６と接続することにより前回の表示イメージはビデオメモリー８２の中にあるため図１６（ａ）のイメージメモリー４１を省略することもできる。
【００９４】
（実施例３）
図２６は実施例３の場合のブロック図である。実施例１および施例２と違う部分は、図１を見ると明らかなように、実施例１においては、起動命令線８０を介して第１処理ブロック１から第２処理ブロック９８へ起動命令と終了命令の双方が送られた。また表示起動命令線８１を介して第１処理ブロック１から表示ブロック部９９へ起動命令を終了命令の双方が送られた。
【００９５】
しかし、実施例３では図２６から明らかなように、まず、表示ブロック９９への表示起動命令線８１がない。次に起動命令線８０においては第１処理ブロック１から第２処理ブロック９８へ起動命令が送られるだけで終了命令は送られない。
【００９６】
第２処理部７が処理を終了した段階で自分自身で停止処理を行い、省電力モードに入る。表示ブロック９９の起動は第２処理部７が表示変更が必要であると判断した時データ線８４を介して表示ブロック９９に表示起動命令を出し、起動させる。表示部２の表示変更が完了した時点で、表示部ロック９９は動作を停止し、表示省電力モードに入る。これを図２７のフローチャートで説明する。このフローチャートは、第１処理ステップ群１５１と第２処理ステップ群１５２と表示ステップ群１５３の三つの部分に分かれる。まず、第２処理ブロック９８起動と停止の時点から違いを述べてみる。
【００９７】
実施例１のフローチャート図６と違う点は図から明らかなように第２処理ブロック９８つまり第２処理ステップ群１５２から第１処理ブロック１すなわち第１処理ステップ群１５１への制御の流れがない。つまり、第１処理部４はステップ１１２で第２処理部７を起動させる命令を第２処理部７へ送り、第２処理部７は起動される。この点のみが実施例１と共通する。停止に関しては実施例１と違う第１処理部４からの命令を受けて停止することはしないで、ステップ１２１で第２処理部の機能を自動停止する。そして、ステップ１０３で情報入力待機状態になる。
【００９８】
次に表示ブロック９９の起動と停止に関して実施例１との違いを述べる。
【００９９】
実施例１では第２処理部７が表示完了情報を第１処理ブロック９９へ表示起動命令を送る。しかし、実施例３では図２７のステップ１１５ａで第２処理ブロック９８が表示ブロック９９へ起動命令を送り表示ステップ１１６で表示ブロック９９が起動し、ステップ１１７で表示内容の変更が行われる。ステップ１１８で表示変更を確認した後、ステップ１１９で、表示ブロック９９を自分自身で停止させる。
【０１００】
以上のように実施例３は実施例１と機能は同じであるが、第２処理ブロック９８の停止及び、表示ブロック９９の停止は自動的に行われる。
【０１０１】
また、表示ブロック９９の起動命令は第２処理ブロック９８が発する。従って、第１処理ブロック１の負担が少なくなり、全体の速度が速くなるだけでなく、構成が簡単になるという効果がある。
【０１０２】
（実施例４）
図２８は第４の実施例のブロック図を示す。実施例４は外部との通信等の入出力をもつ場合の本発明による省電力方法を開示したものである。情報処理装置は情報入力ブロック９７に外部との入出力を伴う入出力部５０をもち、その中に通信ポート５１や外部インターフェース部５２をもつ。入出力がある場合図２９のタイミング図に示すように動作する。これは図２０に示したキー入力の場合のタイミング図と似た動作をする。図２９のａに示す通信ポートからの入力がｔ１〜ｔ７４とあった場合入出力部５０の中の通信ポート部５１は第１処理ブロック１に信号を送る。ｔ１においては第１処理部４は、入力情報を表示回路８に送り図２９のｄのように動作され表示部での表示を図２９のｅのように書き替える。そして、ｔ７に大きな処理を伴う入力が来た場合のみ図２９のｃのように第２処理部７をｔ＝ｔ７１において起動させる。
【０１０３】
第２処理部７はｔ＝ｔ７において起動命令を送り表示回路８を起動させ表示部２を書き替える。実施例３は通信等を介した入出力がある場合、大きな処理を伴わない入力に対しては、第２処理部７は動作せず、第１処理部４又は入出力部５０が入出力処理、表示処理を行なう。このため入出力動作時の省電力化効果がある。
【０１０４】
実施例４は、太陽電池を利用しているため、さらに消費電力が減少し、長期間使用できるという効果がある。
【０１０５】
光がこなくなれば太陽電池が動作しないという面もあるが、表示部２と同じ面に太陽電池６０を配置することにより、太陽電池が作動しない時は表示部２の表示内容もキーボードのキーも見えない。
【０１０６】
従って、現実的には、不具合はない。暗い環境例えばスライド上映中の講演会におけるＷＰ入力等の場合はキー入力により、電源保持回路が動作し、第１処理部４は動作する。
【０１０７】
（実施例５）
図３０は、第５の実施例のブロック図を示すもので、電源として太陽電池６０が追加されている。第１処理部４は速度が遅いため電力消費量は極めて少ない。従って太陽電池で駆動させることが可能である。実施例１と殆ど同じで動作は変わらないが太陽電池の場合、入射光量が減った場合電力供給が停止する。停止した場合、まず電源部６１からの電力供給に切替わる。又長期間キー入力も太陽電池６０からの電力供給もなくなった場合図３１のｂのｔ＝ｔ６１に示すように電源停止モードに入り、第１処理部４は第１メモリー５に処理情報を退避させ動作を停止する。この場合電力消費は減少する。そしてｔ＝ｔ７１において太陽電池６０からの電力供給があった場合もしくは情報入力部３からのキー入力があった場合起動し、ｔ７２のキー入力により再び元の動作を開始する。
【０１０８】
ここでキー入力による第１処理部４の起動法の一例を説明すると、図３２に示すように情報入力部３のキー入力部６２は電池６４からの電圧を保持回路６３に送る。従ってキーが押された場合保持回路６３は電源を第１処理部４に送り、第１処理部４を起動させる。このとき並行してキー入力部６２はキー入力情報を第１処理部４に送り、処理が再開される。図３３は第１処理部４と第２処理部７を共用した場合のブロック図を示す。
【０１０９】
この場合キー入力部６２は各キーは１種類の電源用ＳＷとキー入力ＳＷの２つをもってもよい。
【０１１０】
実施例５はさらに低消費電力化をはかったものである。設計により、数年以上の電池交換不要型ノートパソコンも可能となる。なお、図３３に示すように実施例１〜５とも第１処理部と第２処理部を兼用して一つにすることもできる。
【０１１１】
（実施例６）
実施例６は８ｍｍＣＤ−ＲＯＭ等の光ディスクを用いた情報処理装置に本発明を用いた場合である。
【０１１２】
図３４はブロック図であり、情報入力ブロック９７には、ＣＤ−ＲＯＭのＣＤ−ＲＯＭドライブ３０１とキーボード２０１が接続されている。
【０１１３】
図３５は、斜視図である。ＣＤ−ＲＯＭプレーヤ３１２はキーボード２０１と液晶２０８ＣＤ−ＲＯＭ等の光ディスク３１５を光ディスク挿入部３１６に挿入することにより図３４の起動部２２１に起動信号が起こり、第２処理部７が起動する。
【０１１４】
また、キーボード２０１からの入力により第１処理部４からコード信号が起動部２２１に送られ第２処理部７が起動し、処理終了後、第２処理部７が停止する点は他の実施例と同様である。
【０１１５】
この特徴は消電力によりＣＤ−ＲＯＭプレーヤー等のポータブル機器の電池使用可能時間が延びる。特に、ＣＤドライブ３０１からの挿入信号を受けて起動部２２１が起動する点が本実施例の特徴であり、ＣＤ−ＲＯＭ等の光ディスク３１５の挿入や取り出しにより、第２処理部７が起動する。
【０１１６】
（実施例７）
実施例７はディジタルテープレコーダーに本発明を応用した場合を示す。図３６、図３７はＤＡＴ等のディジタルオーディオテープレコーダー３１２の応用例で液晶２０８とカセット挿入口３１４をもつ。ディジタルオーディオテープ３１３をカセット挿入口３１４に挿入することにより、図３６のブロック図に示すように、ディジタルテープドライブ３１１からの挿入信号により、第１処理部４を介して起動部２２１に信号が送られ、第２処理部７は起動する。
【０１１７】
ディジタルオーディオテープ３１３の出し入れにより第２処理部７が起動停止することにより、操作者のテープ出し入れと連動して、作動を始めるという効果がある。
【０１１８】
我々のシミュレーションによる試算ではＷＰソフトで動作させ、本発明を用いないで５Ｗの平均消費電力が、あった場合、本発明を用いることにより数十ｍｗになる。従って、従来の二次電池でも数百時間程度の使用が可能になり、高効率のリチウム電池等の一次電池を用いることにより１０００時間以上も可能となる。つまり、毎月５時間使用しても１年以上もつノートパソコンが可能となり、ポケット電卓のように長時間電池交換なしに使用できる。このときにより、開発方向も高速化、多画素化が進められている。充電のわずらわしさから使用者が解放される。本発明は電源コード及び充電器からノートパソコンを開放するものである。従来強誘電性液晶の応用面に関しては、高速性・高解像度の面に注目されていた。本発明の着眼点は、強誘電性液晶において従来全く注目されていなかった、消費電力削減の面に焦点をあてたものである。
【０１１９】
この種の着眼は従来になく、今後成長が期待されるノートパソコン等の高機能ポータブル情報機器の省電力化に対する効果は高い。
【０１２０】
なお、メモリー効果のある表示素子として強誘電性液晶を実施例として用いたが、スメクチック液晶やエレクトロクロミック表示素子のような他のメモリー型表示素子として使うことができる。また液晶は単純マトリクスドライブ型液晶の例を示したがＴＦＴ液晶ドライブも用いることができる。
【０１２１】
【発明の効果】
以上述べたように本発明は、不使用状態が一定時間続いたことを検出した時点、もしくは主要な処理が完了した時点で主要処理部の電源を停止させると同時に表示部の表示を継続させる情報処理装置を提供することができる。
【図面の簡単な説明】
【図１】本発明の第１の実施例における情報処理装置のブロック図
【図２】本発明の実施例１のタイミング図
【図３】本発明の実施例における表示部の構成図
【図４】本発明の実施例における表示部の動作原理断面図
【図５】本発明の実施例における表示部の画面図
【図６】本発明の実施例における動作を説明するフローチャート
【図７】本発明の具体的な実施例の構成を示すブロック図
【図８】本発明の具体的な実施例の構成を示す別のブロック図
【図９】本発明の具体的な実施例の構成を示す別のブロック図
【図１０】本発明の具体的な実施例における動作を説明するフローチャート
【図１１】本発明の具体的な実施例における別のブロック図
【図１２】本発明の実施例における反射素子の動作原理図
【図１３】本発明の実施例における反射板の動作原理図
【図１４】本発明の実施例における別の反射板の動作原理図
【図１５】本発明の実施例２を説明するためのブロック図
【図１６】本発明の実施例２における第１処理部周辺のブロック図
【図１７】本発明の実施例における別の第２処理部周辺のブロック図
【図１８】本発明の実施例２を説明するためのフローチャート
【図１９】本発明の実施例２を説明するためのフローチャート
【図２０】本発明の実施例２を説明するためのタイミング図
【図２１】本発明の実施例２を説明するためのカーソルの表示状態図
【図２２】本発明の実施例２を説明するための翻訳処理時の表示部正面図
【図２３】本発明の実施例２を説明するための追加入力の表示部の前面図
【図２４】本発明の実施例２を説明するための複写モード時の表示図
【図２５】本発明の実施例２を説明するための変形のブロック図
【図２６】本発明の実施例３を説明するためのブロック図
【図２７】本発明の実施例３を説明するためのフローチャート
【図２８】本発明の実施例４を説明するためのブロック図
【図２９】本発明の実施例４を説明するためのタイミング図
【図３０】本発明の実施例５を説明するためのブロック図
【図３１】本発明の実施例５を説明するためのタイミング図
【図３２】本発明の実施例５を説明するための情報部入力部のブロック図
【図３３】本発明の実施例５を説明するための第１処理部と第２処理部を兼用した場合のブロック図
【図３４】本発明の実施例６を説明するためのブロック図
【図３５】本発明の実施例６を説明するための斜視図
【図３６】本発明の実施例７を説明するためのブロック図
【図３７】本発明の実施例７を説明するための斜視図
【符号の説明】
１  第１処理ブロック
２  表示部
３  情報入力部
４  第１処理部
５  第１メモリー部
６  中断制御部
７  第２処理部
８  表示回路部
９  第２メモリー
１１  水平ドライブ部
１２  垂直ドライブ部
２０  電源スイッチ
２４  ヒーター
２５  バックライト
２６  反射回路
２７  反射素子
３０  開口部
３２  入射光
３３  反射光
３４  反射透過板
４０  第１フォントＲＯＭ
４３  第２フォントＲＯＭ
８２  ビデオメモリー
９８  第二処理ブロック
９９  表示ブロック
２０１  キーボード
２０２  フレキシブルディスクコントローラー
２０４  ＲＯＭ
２０５  バックアップＲＡＭ
２０６  グラフィックコントローラ
２０７  液晶コントローラ・ドライバー
２０８  液晶
２０９  バス
【図１】
0003541034.tif 000003
【図２】
0003541034.tif 000004
【図３】
0003541034.tif 000005
【図４】
0003541034.tif 000006
【図５】
0003541034.tif 000007
【図６】
0003541034.tif 000008
【図７】
0003541034.tif 000009
【図８】
0003541034.tif 000010
【図９】
0003541034.tif 000011
【図１０】
0003541034.tif 000012
【図１１】
0003541034.tif 000013
【図１２】
0003541034.tif 000014
【図１３】
0003541034.tif 000015
【図１４】
0003541034.tif 000016
【図１５】
0003541034.tif 000017
【図１６】
0003541034.tif 000018
【図１７】
0003541034.tif 000019
【図１８】
0003541034.tif 000020
【図１９】
0003541034.tif 000021
【図２０】
0003541034.tif 000022
【図２１】
0003541034.tif 000023
【図２２】
0003541034.tif 000024
【図２３】
0003541034.tif 000025
【図２４】
0003541034.tif 000026
【図２５】
0003541034.tif 000027
【図２６】
0003541034.tif 000028
【図２７】
0003541034.tif 000029
【図２８】
0003541034.tif 000030
【図２９】
0003541034.tif 000031
【図３０】
0003541034.tif 000032
【図３１】
0003541034.tif 000033
【図３２】
0003541034.tif 000034
【図３３】
0003541034.tif 000035
【図３４】
0003541034.tif 000036
【図３５】
0003541034.tif 000037
【図３６】
0003541034.tif 000038
【図３７】
0003541034.tif 000039